(57)【要約】      （修正有）【課題】取り付け取り外しが容易にでき、利便性の向上を図ることができる杖ホルダーを提供する。【解決手段】スプリング５の特性を用いて杖ホルダー１を設置対象部（テーブル、カウンターの天板、椅子の肘掛け等）の上面と下面を挟み込んで固定することで外し跡や傷がのこらず、脱着が容易になり利便性を向上させることができる。【選択図】図１
2019154997.tif 000002
【特許請求の範囲】
【請求項１】
非使用時に杖を脱着可能に係止させて保持する脱着式杖ホルダーであって  、
棒状形状からなる棒状部材と、
前記棒状部材の上部に設けられ、使用者により押圧操作される棒状部材操  作部と、
設置対象部上に載置され、前記棒状部材が挿入される上部設置部挿入孔が  形成された板状の上部設置部と、
該上部設置部の前記上部設置部挿入孔の下部から下方略垂直方向に設けら  れ、該上部設置部挿入孔の下部に前記棒状部材が通される空間が形成された  垂直部と、
前記棒状部材の周囲に配されたコイルスプリングと、
前記コイルスプリングの下部で、該コイルスプリングの先端を所定の位置  で移動しないように止め、前記棒状部材が挿入される受け部挿入孔が形成さ  れ、前記垂直部に固定されたコイルスプリング受け部と、
前記棒状部材の先端部が挿入される下部締付部挿入孔が形成され、前記設  置対象部下面に接しさせることが可能に構成された板状の下部締付部と、
前記下部締付部を前記棒状部材の先端の特定位置に固定させる固定手段と  、
前記棒状部材操作部に設けられ、杖を保持する杖保持部と、を有し、
前記下部締付部は、前記棒状部材操作部を押圧することにより前記コイル  スプリングが圧縮されて下方方向に移動するとともに、前記棒状部材操作部  の押圧が解除されることにより前記コイルスプリングが弾性で復元され上方  方向に移動することにより、前記設置対象部に脱着可能となることを特徴と  する脱着式杖ホルダー。
【請求項２】
前記固定手段は、
前記下部締付部の前記下部締付部挿入孔に挿入された前記棒状部材の前記  下部締付部挿入孔の略入口位置に設けられた上部装着溝と、
前記下部締付部の前記下部締付部挿入孔に挿入された前記棒状部材の前記  下部締付部挿入孔の略出口位置に設けられた下部装着溝と、
前記上部装着溝に装着させる上部装着具と、
前記下部装着溝に装着させる下部装着具と、を有し、
前記上部装着具を該上部装着溝に装着させるとともに、前記下部装着具を    前記下部装着溝に装着させることによって、前記下部締付部を前記棒状部    
材の先端の特定位置に固定させることを特徴とする請求項１記載の脱着式杖  ホルダー。
【請求項３】
前記固定手段は、
前記下部締付部の前記下部締付部挿入孔に挿入された前記棒状部材の前記  下部締付部挿入孔の略入口位置に設けられた上部装着孔と、
前記下部締付部の前記下部締付部挿入孔に挿入された前記棒状部材の前記  下部締付部挿入孔の略出口位置に設けられた下部装着孔と、
前記上部装着孔に装着させる上部装着ピンと、
前記下部装着孔に装着させる下部装着ピンと、を有し、
前記上部装着ピンを前記上部装着孔に装着させるとともに、前記下部装着  ピンを前記下部装着孔に装着させることによって、前記下部締付部を前記棒  状部材の先端の特定位置に固定させることを特徴とする請求項１記載の脱着  式杖ホルダー。
【請求項４】
前記上部設置部の端部と前記垂直部は、一体構成として形成されている請  求項１記載の脱着式杖ホルダー。
【請求項５】
前記コイルスプリング受け部と前記垂直部は、一体構成として形成されて  いる請求項１記載から請求項４のいずれか１項に記載の脱着式杖ホルダー。  
【請求項６】
前記杖保持部は、
前記棒状部材操作部から杖の両側を挟むように略平行に形成された杖保持  部本体と、
該杖保持部本体の杖を両側から挟む相対抗する面の略端部に設けられた突  起部と、を有し、
前記杖保持部本体の上面で杖のグリップ部が保持され、前記突起部により  杖のシャフト部が外部に放出されることなく保持されることを特徴とする請  求項１から請求項３のいずれか１項に記載の脱着式杖ホルダー。
【請求項７】
前記杖保持部は、前記棒状部材を軸として回転可能であることを特徴とす  る請求項１から請求項６のいずれか１項に記載の脱着式杖ホルダー。
【請求項８】
前記杖保持部は、粘弾性体から成形されることを特徴する請求項６に記載  の脱着式杖ホルダー。
【発明の詳細な説明】
【技術分野】
【０００１】
本発明は、非使用時に杖を脱着可能に係止させて保持する脱着式杖ホルダ    
ーに関するもの。
【背景技術】
【０００２】
従来の場合、杖ホルダー本体を設置対象部に取り付ける方法として、吸盤  での取り付け（例えば特許文献１）や結束バンドでの取り付け（例えば特許  文献２）また両面テープ、ビス止め（例えば特許文献３、４）などが知られ  ている。
【０００３】
また、杖の杖保持部形状については、C型形状をしたもの（例えば特許文  献４）が知られている。
【先行技術文献】
【特許文献】
【０００４】
【特許文献１】特開２０１３−１７７９７号公報
【特許文献２】実用新案登録第３１７３２８６号公報
【特許文献３】実用新案登録第３１４１２３０号公報
【特許文献４】特開２００４−５７４２２号公報
【発明の概要】
【発明が解決しようとする課題】
【０００５】
上記説明した吸盤での取り付けは取付け易いが外れ易い、また結束バンド  での取り付けは配線などを束ねるものであり、どちらの取り付け方法も取り  付け対象物が限られ取付けに確実性や安定性に課題がある。
また、ビスでの取付けはドリル、ドライバーなどの補助具を必要とし、取  付けに時間が掛かり取外し後にビス穴の外し跡が残る課題がある。
また、両面テープでの取付けがあるが粘着力の耐久性、取外し時にテープ            跡が残る課題がある。
【０００６】
また、C型形状をした杖の杖保持部は杖シャフトの直径が所定の大きさの  杖であれば保持ができるが、所定の直径より大きい径であれば杖を挿入でき  ず、また所定の直径より小さい径であれば杖が外れ倒れる場合があり、利便  性に課題がある。
【０００７】
本発明は、このような従来の構成が有していた問題点を解決しようとする  
ものであり、本脱着式杖ホルダーは取付け取り外しが容易にでき、利便性の  向上を図ることを目的とするものである。
【課題を解決するための手段】
【０００８】
本発明は上記目的を達成するために非使用時に杖を脱着可能に係止させて  保持する脱着式杖ホルダーであって、棒状形状からなる棒状部材と、
棒状部材の上部に設けられ、使用者により押圧操作される棒状部材操作部  と、
設置対象部上に載置され、棒状部材が挿入される上部設置部挿入孔が形成  された板状の上部設置部と、
該上部設置部の上部設置部挿入孔の下部から下方略垂直方向に設けられ、  該上部設置部挿入孔の下部に棒状部材が通される空間が形成された垂直部と  、
棒状部材の周囲に配されたコイルスプリングと、
コイルスプリングの下部で、該コイルスプリングの先端を所定の位置で移動  しないように止め、棒状部材が挿入される受け部挿入孔が形成され、垂直部  に固定されたコイルスプリング受け部と、
棒状部材の先端部が挿入される下部締付部挿入孔が形成され、設置対象部  下面に接しさせることが可能に構成された板状の下部締付部と、
下部締付部を棒状部材の先端の特定位置に固定させる固定手段と、
棒状部材操作部に設けられ、杖を保持する杖保持部と、を有し、
下部締付部は、棒状部材操作部を押圧することによりコイルスプリングが  圧縮されて下方方向に移動するとともに、棒状部材操作部の押圧が解除され  ることによりコイルスプリングが弾性で復元され上方方向に移動することに  より、設置対象部に脱着可能となることを特徴とするものである。
【０００９】
また、固定手段は、下部締付部の下部締付部挿入孔に挿入された棒状部材  の下部締付部挿入孔の略入口位置に設けられた上部装着溝と、下部締付部の  下部締付部挿入孔に挿入された棒状部材の下部締付部挿入孔の略出口位置に  設けられた下部装着溝と、上部装着溝に装着させる上部装着具と、下部装着  溝に装着させる下部装着具と、を有し、上部装着具を上部装着溝に装着させ  、また、下部装着具を下部装着溝に装着させることによって、下部締付部を  棒状部材の先端の特定位置に固定させることを特徴とするものである。
【００１０】
さらに、固定手段は、下部締付部の下部締付部挿入孔に挿入された棒状部  材の下部締付部挿入孔の略入口位置に設けられた上部装着孔と、下部締付部  の下部締付部挿入孔に挿入された棒状部材の下部締付部挿入孔の略出口位置  に設けられた下部装着孔と、上部装着孔に装着させる上部装着ピンと、
下部装着孔に装着させる下部装着ピンと、を有し、上部装着ピンを上部
に装着させ、また、下部装着ピンを下部装着孔に装着させることによって、  下部締付部を棒状部材の先端の特定位置に固定させることを特徴とするもの  である。
【００１１】
さらに本発明は、上部設置部の端部と垂直部は、一体構成として形成され  ていることを特徴するものである。
【００１２】
また本発明は、コイルスプリング受け部と垂直部は、一体構成として形成  されていることを特徴とするものである。
【００１３】
また本発明の、杖保持部は、
棒状部材操作部から杖の両側を挟むように略平行に形成された杖保持部本体  と、
杖保持部本体の杖を両側から挟む相対抗する面の略端部に設けられた突起  部と、を有し、
杖保持部本体の上面で杖のグリップ部が保持され、突起部により杖のシャ  フト部が外部に放出されることなく保持されることを特徴とするものである  。
【００１４】
また本発明の、杖保持部は、棒状部材を軸として回転可能であることを特  徴とするものである。
【００１５】
また本発明の、杖保持部は、粘弾性体から成形されることを特徴とするも  のである
【発明の効果】
【００１６】
上述の様に、本発明の脱着式杖ホルダーによれば、下部締付部は、棒状部  材操作部を押圧することによりコイルスプリングが圧縮されて下方方向に移  動するとともに、棒状部材操作部の押圧が解除されることによりコイルスプ  リングが自由長さへの弾性の復元力で上方方向に移動することにより、設置  対象部に脱着可能となるので、設置対象部への取付けにビス、両面テープ等  部材を使用する必要がなく脱着するための時間、手間を軽減することができ  るとともに、設置箇所のビス傷やテープ、接着剤の削除などの設置面の修復  も不要となり、各施設管理者、杖使用者の双方にとって容易に脱着式杖ホル  ダーの取り付け、取り外しを行うことができる。
このように、杖使用者が自宅、外出先に於いてもテーブル、椅子の肘掛け  等、杖使用者自身で生活に合わせた場所に移動し設置でき利便性を向上させ  ることができる。
【００１７】
さらに、脱着式杖ホルダーは設置位置が高く杖が浮いた状態の時は杖のグ  
リップ部で保持し、杖が床に着いた状態では杖のシャフト部で保持し、直径  の異なるシャフトの杖も保持できる杖保持部を有しているので利便性の向上  となる。
【００１８】
また、杖保持部は粘弾性体成形品から出来ているので、脱着式杖ホルダー  に杖を容易に設置し、また容易に取り外すことができ、利便性を向上させる  ことができる。
【図面の簡単な説明】
【００１９】
【図１】（ａ）発明の一実施形態における脱着式杖ホルダーの斜視図である。     (ｂ) 同脱着式杖ホルダーの断面図である。    （ｃ）同脱着式杖ホルダーの装着溝と装着具とからなる固定手段を示す図        である。    （ｄ）同脱着式杖ホルダーの装着孔と装着ピンとからなる固定手段を示す        図である。
【図２】(ａ) 同脱着式杖ホルダーの杖保持部が正面側に位置した正面図である。            (ｂ) 同脱着式杖ホルダーの杖保持部が側面側に位置した正面図である。             (ｃ) 同脱着式杖ホルダーの杖保持部が正面側に位置した背面図である。
【図３】（ａ）同脱着式杖ホルダーの設置対象部に設置前のコイルスプリングが自        由長さに伸びた状態の側面図である。    （ｂ）同脱着式杖ホルダーの設置対象部に設置後のコイルスプリングが圧        縮され縮んだ状態の側面図である。
【図４】（ａ）同脱着式杖ホルダーの杖保持部を非使用時の背面側に位置した平面        図である。    （ｂ）同脱着式杖ホルダーの杖保持部を背面側から９０度の位置で杖を保        持した平面図である。    （ｃ）同脱着式杖ホルダーの杖保持部を背面側から１８０度の位置で杖を        保持した平面図である。    （ｄ）同脱着式杖ホルダーの杖保持部を背面側から２７０度の位置で杖を        保持した平面図である。
【図５】（ａ）同脱着式杖ホルダーで杖が床から浮いた状態をグリップ部で保持し        た状態を示す正面図である。    （ｂ）同脱着式杖ホルダーで杖が床に着いた状態をシャフト部で保持した                状態を示す斜視図である。
【発明を実施するための形態】
【００２０】
以下、本発明の一実施形態について、図面を用いて説明する。
尚、この実施の形態によって本発明が限定されるものではない。
【００２１】
まず本発明の一実施形態における脱着式杖ホルダーの構成について、図
１〜図５を用いて説明する。ここで、図１（ａ）は本発明の一実施形態にお  ける脱着式杖ホルダーの斜視図であり、図１（ｂ）は同脱着式杖ホルダーの  断面図であり、図１（ｃ）は装着溝と装着具とからなる固定手段を示す図で  あり、図１（ｄ）は同脱着式杖ホルダーの装着孔と装着ピンとからなる固定  手段を示す図であり、図３（ａ）は同脱着式杖ホルダーの設置対象部に設置  前のコイルスプリングが自由長さに伸びた状態の側面図であり、図３（ｂ）  は同脱着式杖ホルダーの設置対象部に設置後のコイルスプリングが圧縮され  縮んだ状態の側面図である。ここで、本脱着式杖ホルダー１は、杖を使用し  ないとき（非使用時）に杖を係止させて保持させるものである。
【００２２】
図１および図２に示すように、脱着式杖ホルダー１は、上部設置部２と、  下部締付部３と、コイルスプリング５と、杖保持部６と、棒状部材操作部８  と、棒状部材９と、垂直部１１を有している。
【００２３】
上部設置部２は、設置対象部４（テーブル）に載置され、棒状形状からな  
る棒状部材９が挿入される上部設置部挿入孔１０が形成されている。具体的  
には、上部設置部２は上面および下面が平面形状であり、その上部設置部２  
の下面がテーブルの上面に接触することにより、テーブル上に載置される。  
尚、本実施形態では、設置対象物をテーブルとして説明したが、これに限  らず、椅子の肘掛けやカウンターなど脱着式杖ホルダー１を取り付けられる  ものであればよい。
【００２４】
棒状部材操作部８は、棒状部材９の上部に設けられ、使用者により押圧さ  れ操作されるものである。具体的には、上面が平面の略四角柱形状で、下面  から棒状部材９が差し込まれることにより、棒状部材９の上部に設置される  。
尚、本実施形態では、棒状部材操作部８を略四角柱形状で形成したが、こ  れに限らず、略円柱形状などの他の形状で形成させてもよい。
【００２５】
垂直部１１は、上部設置部挿入孔１０の下部垂直方向に設けられ、棒状部
材９と下部締付部３が通される空間が形成されている。具体的には、棒状部  材９に固定された下部締付部３を上下移動させる空間である。
【００２６】
コイルスプリング５は、棒状部材９の周囲に配され、垂直部１１に固定さ    
れた、コイルスプリング受け部１２と棒状部材操作部８の間に設けられてい  る。具体的には、コイルスプリング５は使用者が棒状部材操作部８を押圧す  ることにより圧縮され、そして、押圧解除することによりコイルスプリング  の弾性で自由長さへ復元される。
【００２７】
コイルスプリング受け部１２は、棒状部材９が挿入される受け部挿入孔
１３が設けられている。具体的にはコイルスプリング５の弾性の復元力で設  置対象部４を挟み込める位置の垂直部１１に設けられている。
【００２８】
下部締付部３は、上部設置部２とで設置対象部４を挟み込む形状で形成さ  れている。具体的には、下部締付部３は上面および下面が平面形状で棒状部  材９が挿入される下部締付部挿入孔１８を有し、上部設置部２の下面と下部  締付部３の上面でコイルスプリング５の弾性の復元力で設置対象部４に設置  することができる。
【００２９】
下部締付部３を棒状部材９に固定させる固定手段は、棒状部材９の先端の  特定位置に形成された上部装着溝１４ａおよび下部装着溝１４ｂと、その上  部装着溝１４ａに装着される上部装着具１５ａ（たとえばスナップリングＥ  型）および下部装着溝１４ｂに装着される下部装着具１５ｂ（たとえばスナ  ップリングＥ型）とから成る。具体的には、２箇所の装着溝が設けられた棒  状部材９にコイルスプリング５を配し、上部設置部挿入孔１０から受け部挿  入孔１３を通し,さら下部締付部挿入孔１８を通して、下部締付部３の上面  と下面近傍に対応する位置の設けられた上部装着溝１４ａに上部装着具１５  ａを、下部装着溝１４ｂに下部装着具１５ｂをそれぞれ装着して固定する。  
尚、本実施形態では、上部装着具１５ａおよび下部装着具１５ｂとしてス  ナップリングＥ型を用いたが、これに限らず、スナップリングＣ型など装着  溝に装着できる他のものであってもよい。
【００３０】
図４（ａ）に示すように、杖保持部６は、杖保持部本体１９ａと、突起部  １９ｂを有し、杖保持部本体１９ａは、棒状部材操作部８から杖７のシャフ  ト部２１を両側から挟むように略平行に形成されている。また、突起部１９  ｂは、杖保持部本体１９ａの杖を両側から挟む相対抗する面の略端部に設け  られている。具体的には、図４（ｂ）（ｃ）（ｄ）に示すように杖保持部本  体１９ａの内側に相対抗する突起部１９ｂが設けられ、杖７のグリップ部２  ０でも、シャフト部２１のどちらでも保持できる構成となっている。
【００３１】
また脱着式杖ホルダー１の使用方法について、図５を用いて説明する。    
ここで、図５（ａ）は本発明の一実施形態における脱着式杖ホルダー１の
杖７が床から浮いた状態を、杖保持部本体１９ａの上面で杖７のグリップ  部２０を保持した正面図であり、図５（ｂ）は同脱着式杖ホルダー１で床に  着いた状態を杖保持部本体１９ａと突起部１９ｂで杖７のシャフト部２１を  挟み込んで保持した斜視図である
【００３２】
また棒状部材操作部８の上部を押さえると、コイルスプリン５が圧縮され  、棒状部材９に係止された下部締付部３を下方に移動させる。そして設置対  象部４を上部設置部２と上下で、挟み込むようにする。その後、棒状部材操  作部８の上部の押さえを放すことでコイルスプリング５の自由長さへ弾性の  復元力で下部締付部３が上方に移動し上部設置部２とで設置対象部４を挟み  込んで固定することができる。
上記のように、本発明の脱着式杖ホルダー１はコイルスプリング５を使用  した脱着式なので、設置対象部４への取付けにビス、両面テープ等部材を使  用しないので脱着に時間、手間がかからず設置面の修復も不要で各施設管理  者、杖使用者双方が必要とする場所への取付けが容易であるという効果があ  る。
また、杖使用者が自宅、外出先に於いてもテーブル、椅子の肘掛け等、杖  使用者自身で生活に合わせた場所に移動し設置でき利便性の向上になるとい  う効果もある。
【００３３】
さらに、杖保持部６の杖保持部本体１９ａは棒状部材操作部８から杖７の    
両側を挟み込むように略平行に形成されている。
また、杖７（図４、図５参照）の両側から挟む相対抗する面の平行方向の  略端部に突起部１９ｂが設けられている。
そして杖保持部本体１９ａの上面でグリップ部２０が保持され、突起部１  ９ｂにより杖のシャフト部２１が外部に放出されることなく保持する構成と  している。
このように、本発明の脱着式杖ホルダー１は設置位置が高く杖７が浮いた  状態の時は杖７のグリップ部２０で保持し、杖７が床に着いた状態では杖７  のシャフト部２１で保持し、直径の異なるシャフトの杖も保持できる杖保持  部６を有しているので利便性の向上につながるという効果がある。また杖保  持部６は粘弾性体成形品から出来ているので、脱着式杖ホルダー１は杖の設  置、取り外しを容易にできるという効果もある。
また、杖保持部６は粘弾性体成形品から成り、３６０度回動する構成とし  ている。このように、杖保持部６が３６０度回動できる構成であるので、脱  
着式杖ホルダー１を使用しないときは杖保持部６を背面側に回動させること  により、脱着式杖ホルダー１がコンパクトになり持ち運び易くなる。
尚、本実施形態では、杖保持部６を背面側から９０度、１８０度、２７
０度の３方向の位置での使用を可能とし、利用者が杖保持部６の保持位置を  
選べることで、利便性を向上させる効果がある。
【００３４】
本実施形態によれば、脱着式杖ホルダー１はコイルスプリング５を使用し  た脱着式なので、設置対象部４への取付けにビス、両面テープ等部材を使用  しないので脱着に時間、手間がかからず設置面の修復も不要で各施設管理者  、杖使用者双方が必要とする場所への取付けが容易である。
また、杖使用者が自宅、外出先に於いてもテーブル、椅子の肘掛け等、杖
使用者自身で生活に合わせた場所に移動し設置でき利便性の向上となる。
さらに脱着式杖ホルダー１は設置位置が高く杖７が浮いた状態の時は杖７  のグリップ部２０で保持し、杖７が床に着いた状態では杖７のシャフト部    ２１で保持し、直径の異なるシャフトの杖も保持できる杖保持部６を有して  
いるので利便性の向上となる。また杖保持部６は粘弾性体成形品から出来て  いるので、脱着式杖ホルダー１は杖の設置、取り外しを容易とし、利便性の  向上となる。
【００３５】
上記説明では、図１（ｃ）に示すように、固定手段として、棒状部材９の  先端の特定位置に形成された上部装着溝１４aと、下部装着溝１４ｂと、上  部装着具１５ａと、下部装着具１５ｂ（たとえば、スナップリングＥ型）と  を用いて、下部締付部３を棒状部材９の先端の特定位置に固定させる構成と  していたが、以下のような構成でもよい。
即ち、図１（ｄ）に示すように、  下部締付部３を棒状部材９に固定させ  る固定手段は、棒状部材９の先端の特定位置に形成された上部装着孔１６ａ  および下部装着孔１６ｂと、その上部装着孔１６ａに装着される上部装着ピ  ン１７ａおよび下部装着孔１６ｂに装着される下部装着ピン１７ｂとから成  る。具体的には、２箇所の装着孔が設けられた棒状部材９にコイルスプリン  グ５を配し、上部設置部挿入孔１０から受け部挿入孔１３を通し,さら下部  締付部挿入孔１８を通して、下部締付部３の上面と下面近傍に対応する位置  に設けられた上部装着孔１６ａに上部装着ピン１７ａを、下部装着孔１６ｂ  に下部装着ピン１７ｂをそれぞれ装着して固定する。
尚、本実施形態における上部装着ピン１７ａおよび下部装着ピン１７ｂと  して、スナップピンを用いればよい。
この場合の作用、動作及び効果は、図１（ｃ）の場合と同様であるので、  説明は省略する。
【符号の説明】
【００３６】
１     脱着式杖ホルダー
２     上部設置部
３     下部締付部
４     設置対象部
５     コイルスプリング
６     杖保持部
７     杖
８     棒状部材操作部
９     棒状部材
１０   上部設置部挿入孔
１１   垂直部
１２   コイルスプリング受け部
１３   受け部挿入孔
１４ａ 上部装着溝
１４ｂ 下部装着溝
１５ａ 上部装着具（スナップリングＥ型)
１５ｂ 下部装着具（スナップリングＥ型）
１６ａ 上部装着孔
１６ｂ 下部装着孔
１７ａ 上部装着ピン
１７ｂ 下部装着ピン
１８   下部締付部挿入孔
１９ａ 杖保持部本体
１９ｂ 突起部
２０   グリップ部
２１   シャフト部
【図１】
2019154997.tif 000003
【図２】
2019154997.tif 000004
【図３】
2019154997.tif 000005
【図４】
2019154997.tif 000006
【図５】
2019154997.tif 000007